(57)【要約】【課題】既存の金庫に簡単に設置でき、しかも、金庫破りや、金庫の持ち去りを確実に防止できる金庫の盗難防止装置を提案すること。【解決手段】金庫の盗難防止装置１は、金庫２の前面、上面、左右の側面および底面を覆い包んでいるステンレススチール製の板材からなる金庫カバー３と、金庫カバー３の底板部分を貫通して延びるアンカーボルト４とを有し、アンカーボルト４により金庫２が床５に固定されている。金庫２と床５の隙間が金庫カバー３の前枠７、左右の側面板８、９および底板６によって覆い隠され、金庫２の扉２６の周囲の隙間が金庫カバー３の前枠７によって覆い隠されている。扉２６の隙間から差し込まれた工具などにより施錠が壊されることを防止でき、扉の蝶番が酸素切断されることも防止でき、さらには、金庫２を床に固定しているアンカーボルト４が切断されることを防止できる。よって、金庫破りや、金庫の持ち去りを確実に防止できる。【選択図】      図２
2004150234.tif 000002
【特許請求の範囲】
【請求項１】
直方体形状をした金庫の前面、上面、左右の側面および底面を覆い包んでいる板材からなる金庫カバーと、
この金庫カバーの底板部分を貫通して延びるアンカーボルトとを有し、
前記アンカーボルトの上端部分は前記金庫の底面部分に固定され、当該アンカーボルトの下端部分は前記金庫が設置されている床に固定され、
前記金庫と前記床の隙間が、前記金庫カバーの前板部分、左右の側板部分および底板部分によって覆い隠され、
前記金庫の扉の周囲の隙間が、前記金庫カバーの前記前板部分によって覆い隠されていることを特徴とする金庫の盗難防止装置。
【請求項２】
請求項１において、
前記金庫カバーは、ステンレススチール製の板材から構成されていることを特徴とする金庫の盗難防止装置。
【請求項３】
請求項１または２において、
前記金庫カバーは、前記金庫の底面を覆っている底板と、当該金庫の前面を覆っている前枠と、当該金庫の左側面および上面の左半分を覆っている左側面板と、当該金庫の右側面および上面の右半分を覆っている右側面板とを有しており、
これら底板、前枠、左側面板および右側面板が相互に締結固定されていることを特徴とする金庫の盗難防止装置。
【発明の詳細な説明】
【０００１】
【発明の属する技術分野】
本発明は既存の金庫に設置可能な金庫の盗難防止装置に関するものである。
【０００２】
【従来の技術】
金庫の盗難防止対策としては警報装置を取り付け、金庫の扉が不正に開けられた場合、金庫が移動した場合などに警報を発生し、あるいは提携先の警備会社に通報して、盗難を防止する方法が知られている。しかしながら、警報発生から警備員が現場に現れるまでには時間を要するので、金庫の扉の施錠の強化、金庫重量の増加、あるいは金庫を床に固定するなどの対策を施して、盗難を未然に防止するようにしている。
【０００３】
【発明が解決しようとする課題】
ここで、扉の施錠を強化しても、扉と金庫本体の隙間からバールなどの工具が差し込まれ、あるいは扉の蝶番が酸素切断されると、施錠が簡単に破られる危険性がある。同様に、金庫を床に強固に固定しても、金庫の底と床面の隙間から切断工具が差し込まれて金庫と床を固定している金具が切断される危険性がある。
【０００４】
本発明の課題は、このような点に鑑みて、既存の金庫に簡単に取り付けることができ、しかも、工具などによる金庫破り、金庫の持ち去りなどを確実に防止できる金庫の盗難防止装置を提案することにある。
【０００５】
【課題を解決するための手段】
上記の課題を解決するために、本発明の金庫の盗難防止装置は、
直方体形状をした金庫の前面、上面、左右の側面および底面を覆い包んでいる板材からなる金庫カバーと、
この金庫カバーの底板部分を貫通して延びるアンカーボルトとを有し、
前記アンカーボルトの上端部分は前記金庫の底面部分に固定され、当該アンカーボルトの下端部分は前記金庫が設置されている床に固定され、
前記金庫と前記床の隙間が、前記金庫カバーの前板部分、左右の側板部分および底板部分によって覆い隠され、
前記金庫の扉の周囲の隙間が、前記金庫カバーの前記前板部分によって覆い隠されていることを特徴としている。
【０００６】
本発明の金庫の盗難防止装置では、背面が壁面に密着するように配置された金庫が、金庫カバーによって、その扉の外周の隙間、およびその底面と床の隙間が封鎖されている。従って、扉の隙間から差し込まれた工具などにより施錠が壊されることを防止できる。また、扉の蝶番も金庫カバーにより覆い隠されるので、この部分が酸素切断されることも防止できる。さらには、金庫を床に固定しているアンカーボルトが切断されることを防止できる。
【０００７】
ここで、前記金庫カバーをステンレススチール製の板材から構成すれば、鋼板などを用いる場合とは異なり酸素切断できないので、盗難防止性能が高まる。
【０００８】
また、前記金庫カバーを、前記金庫の底面を覆っている底板と、当該金庫の前面を覆っている前枠と、当該金庫の左側面および上面の左半分を覆っている左側面板と、当該金庫の右側面および上面の右半分を覆っている右側面板から構成し、これら底板、前枠、左側面板および右側面板を相互に締結固定して金庫カバーを構成することが望ましい。このようにすれば、各板材を工場生産し、これらを金庫が設置されている現場に搬入して、金庫に金庫カバーを取り付ける作業を簡単に行うことができる。
【０００９】
【発明の実施の形態】
以下に、図面を参照して、本発明を適用した金庫の盗難防止装置の実施の形態を説明する。
【００１０】
図１は本実施の形態に係る金庫の盗難防止装置が設置された金庫を示す正面図、側面図および平面図であり、図２はその金庫カバーを分解した状態を示す斜視図である。図３は金庫カバーの底板を示す平面図、背面図、側面図および正面図であり、図４は金庫カバーの左右の側面板を示す正面図、側面図および接合部分の拡大部分断面図であり、図５は金庫カバーの前枠を示す正面図および側面図である。
【００１１】
これらの図を参照して説明すると、金庫の盗難防止装置１は、直方体形状をした金庫２の前面２１、上面２２、左右の側面２３、２４および底面２５を覆い包んでいるステンレススチール製の板材からなる金庫カバー３と、この金庫カバー３の底板部分を貫通して延びる複数本（図示の例では４本）のアンカーボルト４とを有している。これらのアンカーボルト４の上端部分は金庫２の底面２５に固定され、それらの下端部分はコンクリート製などの床５に埋設されている（図３参照）。金庫カバー３は、金庫２の底面２５と床５の隙間を覆い隠していると共に、金庫２の扉２６の周囲の隙間も覆い隠している。
【００１２】
本例の金庫カバー３は、金庫２の底面２５を覆っている底板６と、当該金庫の前面２１を覆っている前枠７と、当該金庫の左側面２３および上面２２の左半分を覆っている左側面板８と、当該金庫の右側面２４および上面２２の右半分を覆っている右側面板９から構成されている。
【００１３】
底板６は、金庫２の底面２５を覆う底板本体６１と、この底板本体６１の左右の縁から垂直に立ち上がっている連結部分６２、６３と、底板本体６１の後側の縁から垂直に立ち上がっている折り曲げ部分６４と、底板本体６１に形成されたアンカーボルト用の４個のボルト孔６５とを備えている。連結部分６２、６３には連結用のビス孔６６が形成されている。
【００１４】
左側面板８は、金庫２の左側面２３を覆う左側板部分８１と、この左側板部分８１の上端から直角に折れ曲がり、金庫２の上面２２の左側半分を覆っている天板部分８２と、これら側板部分８１および天板部分８２の後端縁から内側に直角に折れ曲がっている折り曲げ部分８３、８４とを備えている。側板部分８１の前縁部分および下縁部分、天板部分８２の前縁部分および側縁部分には、連結用のビス孔８５が形成されている。
【００１５】
右側面板９は、金庫２の右側面２４を覆う側板部分９１と、この側板部分９１の上端から直角に折れ曲がり、金庫２の上面２２の右側半分を覆っている右側天板部分９２と、これら側板部分９１および右側天板部分９２の後端縁から内側に直角に折れ曲がっている折り曲げ部分９３、９４を備えている。側板部分９１の前縁および下縁部分、天板部分９２の前縁部分には連結用のビス孔９５が形成されている。また、天板部分９２の側縁部分にはその下面側に連結板９６が接合されており、この連結板９６にも連結用のビス孔９７が形成されている。
【００１６】
また、前枠７は、後方に向けて開口したコの字状断面をしている前枠本体７１から形成されており、この前枠本体７１によって囲まれた開口部７２を介して金庫２の扉２６が露出している。この前枠本体７１は、前板部分７３と、この外周縁から後方に直角に折れ曲がっている外周側板部分７４と、前板部分７３の内周縁から後方に直角に折れ曲がっている内周側板部分７５と、この内周側板部分７５の後端縁から外方に直角に折れ曲がっている折り曲げ部分７６、７７、７８、７９とを備えている。外周側板部分７４の上面および左右の側面の後端縁には、それぞれ、連結板１１、１２、１３が予め接合されており、これらの連結板１１、１２、１３にも連結用のビス孔１１ａ、１２ａ、１３ａが形成されている。
【００１７】
左右の側面板８、９は、図４（ｃ）に示すように、その天板部分８２、９２の先端側縁がつき合わされ、天板部分９２に接合されている連結板９６と左側面板８の天板部分８２とがビス止めにより締結固定されている。
【００１８】
また、左右の側面板８、９の側板部分８１、９１の下端部分が、底板６の左右の連結部分６２、６３に対してビス止めにより締結固定されている。さらに、左右の側面板８、９の側板部分８１、９１の前端縁は、前枠７の外周側板部分７４の上面、左右の側面の後端縁につき合わされ、前枠７の側に接合されている連結板１１、１２、１３を介して、これらがビス止めにより締結固定されている。
【００１９】
ここで、金庫カバー３を構成している底板６、前枠７、左右の側面板８、９は工場生産により製造され、現場に搬入されて、相互のビス止めにより締結固定され、金庫２を覆う金庫カバー３が構成される。
【００２０】
【発明の効果】
以上説明したように、本発明の金庫の盗難防止装置では、金庫カバーによって、金庫の扉の外周の隙間、および金庫の底面と床の隙間が封鎖されている。従って、扉の隙間から差し込まれた工具などにより施錠が壊されることを防止できる。また、扉の蝶番も金庫カバーにより覆い隠されるので、この部分が酸素切断されることも防止できる。さらには、金庫を床に固定しているアンカーボルトが切断されることを防止できる。よって、金庫破りあるいは、その持ち去りを確実に防止できる。
【００２１】
また、金庫カバーがステンレススチール製の板材から構成されているので、鋼板などを用いる場合とは異なり酸素切断できないので、盗難防止性能が高いという利点がある。
【００２２】
さらに、金庫カバーを、金庫の底面を覆っている底板と、当該金庫の前面を覆っている前枠と、当該金庫の左側面および上面の左半分を覆っている左側面板と、当該金庫の右側面および上面の右半分を覆っている右側面板から構成し、これらを工場生産して、現場に搬入して金庫カバーを組み立てるようにしている。従って、既存の金庫に対して金庫カバーを簡単に設置することができる。
【図面の簡単な説明】
【図１】本発明を適用した盗難防止装置が取り付けられた金庫を示す正面図、側面図および平面図である。
【図２】図２は図１の盗難防止装置の金庫カバーを分解した状態を示す斜視図である。
【図３】（ａ）〜（ｄ）は、それぞれ、金庫カバーの底板を示す平面図、背面図、側面図および正面図である。
【図４】（ａ）〜（ｃ）は、金庫カバーの左右の側面板を示す正面図、側面図および接合部分の拡大部分断面図である。
【図５】（ａ）および（ｂ）は、金庫カバーの前枠を示す正面図および側面図である。
【符号の説明】
１  盗難防止装置
２  金庫
２１  前面
２２  上面
２３、２４  側面
２５  底面
２６  扉
３    金庫カバー
４    アンカーボルト
５    床
６    底板
６１  底板本体
６２、６３  連結部分
６４  折り曲げ部分
６５  ボルト孔
６６  ビス孔
７    前枠
７１  前枠本体
７２  開口部
７３  前板部分
７４  外周側面部分
７５  内周側面部分
７６、７７、７８  折り曲げ部分
８、９  側面板
８１、９１  側板部分
８２、９２  天板部分
８３、８４、９３、９４  折り曲げ部分
８５、９５、９７  ビス孔
９６  連結板
１１、１２、１３  連結板
１１ａ、１２ａ、１３ａ  ビス孔
【図１】
2004150234.tif 000003
【図２】
2004150234.tif 000004
【図３】
2004150234.tif 000005
【図４】
2004150234.tif 000006
【図５】
2004150234.tif 000007